(57)【要約】【課題】同一の種類の紙幣について２０〜５０枚重ねて入れても、その大きさが十分に小さく携帯に優れ、かつ紙幣を取り出し易い札入れを提供する。【解決手段】特定の種類の紙幣専用の札入れ（１）として構成する。札入れ（１）は、不織布、ビニールクロス、天然皮革、あるいは合成皮革の１枚のシート（２）から二つ折りして形成し、シート（２）の重ね合わされた縁部のうち、長方形の一方の短辺（４）とこれに連続する長辺の一部（６ａ）に対応する縁部には線ファスナ（８）を設ける。他の縁部はシートの端面どうし突き合わして、縫合によって、あるいは接着剤による接着によって、あるいは熱加工による融着によって、結合代が存在しないよう結合する。長方形の長辺と短辺は、特定の種類の紙幣の長辺と短辺よりも、それぞれ１２〜２０ｍｍだけ大きくする。【選択図】図１
2012055528.tif 000002
【特許請求の範囲】
【請求項１】
不織布、ビニールクロス、天然皮革、あるいは合成皮革からなる１枚のシートが略長方形状に二つ折りされ、前記シートの重ね合わされた縁部のうち、前記長方形の一方の短辺とこれに連続する長辺の一部に対応する縁部には開閉可能なファスナが設けられ、他の縁部は互いに結合されて袋状に形成されている札入れであって、
前記互いに結合されている縁部は、前記シートの端面どうしが突き合わされて結合代無しで結合されていることを特徴とする札入れ。
【請求項２】
請求項１に記載の札入れにおいて、前記長方形の長辺と短辺は、特定の種類の紙幣の長辺と短辺よりも、それぞれ１３〜２５ｍｍ、１０〜１５ｍｍだけ大きいことを特徴とする札入れ。
【請求項３】
請求項１または２に記載の札入れにおいて、前記結合されている縁部は、縫合によって結合されていると共に、該縫合部にはあて布が貼られていることを特徴とする札入れ。
【請求項４】
請求項１または２に記載の札入れにおいて、前記結合されている縁部は、接着剤による接着によって、もしくは熱加工による融着によって結合されていることを特徴とする札入れ。
【発明の詳細な説明】
【技術分野】
【０００１】
本発明は、紙幣のみを入れる札入れに関し、限定するものではないが旅行時に携帯するのに適し、単一の種類の紙幣のみが複数枚入れられるようになっている札入れに関するものである。
【背景技術】
【０００２】
財布には色々な種類がある。例えば硬貨のみを入れるようになっている小銭入れ、紙幣と硬貨とを入れることができる財布、これらに加えてカードを収納できる財布、さらにキーホルダーが設けられて鍵も収納できる財布、等が周知である。これらは用途に応じて、あるいは使用者の好みによって選定され使用されている。このような財布の他に紙幣のみを入れることができる紙幣専用の財布、いわゆる札入れも周知であり、色々な形状の物が市販されている。一般的な札入れは、長辺にあたる一辺が開口した長方形の袋状を呈している。この開口部から紙幣を出し入れできるようになっているが、どのような種類の紙幣でも入れることができるように札入れの大きさは比較的大きい。このような札入れは紙幣が入れられた状態で二つ折りして携帯される。このような従来の札入れの他に、例えば特許文献１、２において札入れが提案されている。
【先行技術文献】
【特許文献】
【０００３】
【特許文献１】実開平７−４４１４３号公報
【特許文献２】実昭開６３−１８７９２０号公報
【０００４】
特許文献１に記載の札入れは、１枚の皮革もしくはビニールクロスから２つ折りにして縫製され、長方形の封筒状を呈している。この札入れにおいては長方形の一方の短辺が開口しており、ここから紙幣を出し入れできるようになっている。また札入れの一方の側面には、この開口部に近接した位置に所定の大きさの切れ込みが入れられ、この切れ込みにはシート状の小片である滑止材が貼られている。従って札入れに紙幣が入れられた状態で、この切れ込みに親指を当てて押圧しながら横方向にスライドさせると、滑止材に接している紙幣１枚をスライドさせることができ、これによって複数枚の紙幣の中から１枚だけ引き出すことができるようになっている。
【０００５】
特許文献２に記載の札入れは、広げた状態においては長方形状を呈し、長方形の一方の短辺が開口しており、この開口部から紙幣を入れることができるようになっている。そして札入れは紙幣を入れた状態で二つ折りに畳むことができ、畳んだ状態で紙幣を抜き出すことができるようになっている。
【発明の概要】
【発明が解決しようとする課題】
【０００６】
従来周知の札入れによっても、あるいは特許文献１、２に記載の札入れによっても、札入れとしての機能には格別に問題はない。しかしながら特定の用途においては改善の余地が見受けられ、具体的には海外旅行のような旅行時に携帯する場合に使い勝手の点で問題が見受けられる。海外においては、クレジットカードが店舗によらずに使用できる国は一部に限られており、多くの国ではクレジットカードが使用できない店舗も多い。従って海外旅行の際にはある程度の金額の現地通貨の紙幣を携帯する必要がある。そうすると例えばポンドであれば最高額紙幣である５０ポンド紙幣を、ユーロであれば比較的高額で使い勝手に優れた５０ユーロ紙幣あるいは１００ユーロ紙幣等のいずれか１種類の紙幣を、それぞれ十数枚〜数十枚まとめて携帯することが多い。また近年は海外においても日本円を使用することができ、例えば支払に一万円札を渡せば現地通貨でお釣りをもらえることも多いので、海外旅行時には不測の事態に備えて現地通貨とは別に２０〜５０万円程度の一万円札を携帯している旅行者も見受けられる。従って旅行者は補助的な札入れを用意して、各国の通貨の最高額紙幣、あるいは高額紙幣を所定の枚数入れておき、必要に応じて紙幣を数枚ずつ補助的な札入れから抜き出して普段使用している財布に移すようにすれば便利である。ところで大量の高額紙幣を携帯していると盗難に遭いやすいのでこのような補助的な札入れは上着の内ポケット等に入れておくことが好ましい。また紙幣は、通貨の種類毎に分けて管理したいので、複数個の札入れを用意することが好ましい。しかしながら従来の札入れをこのような用途の札入れとして採用すると、二つ折りされて厚みが生じるので嵩張って内ポケットがふくらんでしまう。特許文献１に記載の札入れは、一枚の皮革もしくはビニールクロスから二つ折りにして形成されているので札入れの厚さは薄い。しかしながらこの札入れも、大きさに関する工夫は格別に考慮されていない。つまり札入れはどのような種類の紙幣でも入れられるように汎用的な大きさに形成されているので、特定の種類の紙幣の専用札入れとして使用すると不必要に大きい。さらには縫合部分には所定の幅の縫い代があり、その分だけ札入れが大きい。従って上着の内ポケットに入れると邪魔になってしまう。特許文献２に記載の札入れについては、二つ折りされているので従来の札入れと同様に嵩張ってしまうし、小さくする工夫も格別に考慮されていないので、上着の内ポケットに入れると邪魔になってしまう。
【０００７】
本発明は、上記したような従来の問題点あるいは課題を解決した札入れを提供することを目的としている。具体的には、薄い素材から形成されていると共に十分に小さく携帯に優れた札入れであって、紙幣の種類毎に専用の札入れが用意され、特定の種類の紙幣を２０〜５０枚重ねて入れたときに必要最小限の大きさになるような札入れを提供することを目的としている。そして、紙幣を取り出し易い札入れを提供することも目的としている。
【課題を解決するための手段】
【０００８】
本発明は上記目的を達成するために、不織布、ビニールクロス、天然皮革、あるいは合成皮革からなる１枚のシートから札入れを形成する。そしてシートは略長方形状に二つ折りし、シートの重ね合わされた縁部のうち、長方形の一方の短辺とこれに連続する長辺の一部に対応する縁部には開閉可能なファスナを設け、他の縁部は互いに結合して袋状にする。この互いに結合する縁部はシートの端面どうし突き合わして、縫合によって、あるいは接着剤による接着によって、あるいは熱加工による融着によって、結合代が形成されないよう結合する。そして、札入れの長方形の長辺と短辺は、特定の種類の紙幣の長辺と短辺よりも、それぞれ１３〜２５ｍｍ、１０〜１５ｍｍだけ大きくなるように、必要最小限の大きさにする。
【０００９】
すなわち、請求項１に記載の発明は、上記目的を達成するために、不織布、ビニールクロス、天然皮革、あるいは合成皮革からなる１枚のシートが略長方形状に二つ折りされ、前記シートの重ね合わされた縁部のうち、前記長方形の一方の短辺とこれに連続する長辺の一部に対応する縁部には開閉可能なファスナが設けられ、他の縁部は互いに結合されて袋状に形成されている札入れであって、前記互いに結合されている縁部は、前記シートの端面どうしが突き合わされて結合代無しで結合されていることを特徴とする札入れとして構成される。
請求項２に記載の発明は、請求項１に記載の札入れにおいて、前記長方形の長辺と短辺は、特定の種類の紙幣の長辺と短辺よりも、それぞれ１３〜２５ｍｍ、１０〜１５ｍｍだけ大きいことを特徴とする札入れとして構成される。
そして請求項３に記載の発明は、請求項１または２に記載の札入れにおいて、前記結合されている縁部は、縫合によって結合されていると共に、該縫合部にはあて布が貼られるように、請求項４に記載の発明は、請求項１または２に記載の札入れにおいて、前記結合されている縁部は、接着剤による接着によって、もしくは熱加工による融着によって結合されるように構成される。
【発明の効果】
【００１０】
以上のように本発明によると、札入れは、不織布、ビニールクロス、天然皮革、あるいは合成皮革からなる１枚のシートが略長方形状に二つ折りされ、シートの重ね合わされた縁部のうち、長方形の一方の短辺とこれに連続する長辺の一部に対応する縁部には開閉可能なファスナが設けられ、他の縁部は互いに結合されて袋状に形成されているので、札入れ自体の厚さは薄い。従って紙幣を入れても厚さは薄い。そして、ファスナを開くと一方の短辺とこれに連続する長辺の一部が開口して紙幣を出し入れすることができるので、後で詳しく説明するように開口部分は斜めに開くことができる。そうすると容易に紙幣を取り出しやすくなる。そして長辺全体が開かれる従来の札入れにおいては、紙幣を取り出すときに札入れの内側が見開き状に開かれるので紙幣が露出して目立ってしまうが、本発明に係る札入れにおいては、短辺とこれに連続する長辺の一部だけが開口するので、紙幣を取り出すときにも目立たずに紙幣を取り出すことができる。すなわち悪意のある第三者に見られる危険を防止する効果もある。そして本発明によると、互いに結合されている縁部は、シートの端面どうしが突き合わされて結合代無しで結合されている。つまり結合代が無いのでそれだけ札入れの大きさは小さくなる。すなわちコンパクトなので、紙幣を入れても嵩張ることはない。さらに他の発明によると長方形の長辺と短辺は、特定の種類の紙幣の長辺と短辺よりも、それぞれ１３〜２５ｍｍ、１０〜１５ｍｍだけ大きい。換言すると特定の種類の紙幣に対して必要最小限の大きさに形成されている。従って特定の種類の紙幣専用の札入れ、例えば１万円札専用の札入れとして使用することができ、必要最小限の大きさになる。またこの大きさに形成されているので、使い勝手を損なわうこともない。札入れは小さくコンパクトなので、嵩張ることが無く容易に上着の内ポケットに入れて携帯することができる。
【図面の簡単な説明】
【００１１】
【図１】本発明の実施の形態に係る札入れを模式的に示す図であり、その（ア）は札入れの正面図、その（イ）は（ア）において札入れをＸ−Ｘで切断した断面図、その（ウ）は（イ）において札入れのＹ部分を拡大した拡大断面図である。
【図２】本発明の実施の形態に係る札入れの作用を模式的に示す図で、その（ア）は紙幣が入れられた状態の札入れの正面図、その（イ）は（ア）において札入れをＺ−Ｚで切断した断面図である。
【発明を実施するための形態】
【００１２】
以下、本発明の実施の形態に係る札入れ１を説明する。本実施の形態に係る札入れ１はフェルト、すなわち不織布からなるシートであって、略正方形の１枚のシート２から形成されている。シート２は図１の（ア）に示されているように２つ折りされ、それによって札入れ１は長方形状に形成されている。この長方形の短辺のうち、一方の短辺４とこの短辺４に連続する長辺６の一部６ａに対応する部分には、ジッパー（登録商標）すなわち線ファスナ８が設けられている。そして、長辺６の残りの部分６ｂと他方の短辺９に対応する部分は、シート２のそれぞれの縁部が縫合され、すなわち結合され、札入れ１は袋状に形成されている。このように形成されているので、線ファスナ８を開いてシート２の頂点１１をつまんで開くと、図１の（ア）に示されているように、札入れ１の一方の短辺４とこれに連続している長辺の一部６ａは斜めに開くことができる。ところで、本実施の形態においては、線ファスナ８は、開閉するスライダー部分は金属からなるが、噛み合わされる歯の部分、すなわち務歯については樹脂から形成されている。従って金属探知機には検出されにくいので、空港における手荷物検査の際にも携帯したままでゲートを通過することができる。また線ファスナ８はコーナー部分１０は半径１０ｍｍ程度の曲率で滑らかに設けられているので開閉は容易にできるようになっている。さらには線ファスナ８が設けられている長辺の一部６ａの長さは長辺６の長さの１／２よりも１ｃｍ程度短い。従って札入れ１を点線で示されている谷折り線１３で二つ折りするときに、線ファスナ８が妨げになることはない。
【００１３】
本実施の形態に係る札入れ１は、特定の種類の紙幣専用の札入れ、例えば１万円札専用の札入れになっており、この特定の種類の紙幣が２０〜５０枚入れられたときに、使い勝手が損なわれない程度に十分に小さくなるように工夫されている。このようにするために、本実施の形態においては、長辺の部分６ｂと短辺９の縫合方法と、札入れ１の大きさに特徴がある。
【００１４】
縫合方法を説明する。図１の（イ）には、札入れ１をＸ−Ｘにおいて切断した断面が示されており、図１の（ウ）には、図１の（イ）において符号Ｙで示されている部分を拡大した拡大断面が示されているが、シート２のそれぞれの端面２ａ、２ｂ、は互いに突き合わされている。換言するとシート２は重ね代が生じないように、かつ端面２ａ、２ｂにおいて滑らかにシート２が連続するように並べられている。この突き合わされているシート２の端面２ａ、２ｂ近傍が、糸１５によって縫合されている。そしてシート２の縫合部分１８には、内側からあて布１６が接着剤、あるいは熱融着によって貼り付けられている。これによって縫合部分１８の弛みを防止して、シート２の端面２ａ、２ｂの突き合わせ状態がずれるのを防いでいる。本実施の形態においてはこのように縫合されているので、シート２には縫い代、すなわち結合代が形成されることはなく、札入れ１はそれだけ小型になっている。また縫合部分１８は図１の（イ）に示されているように緩やかな曲率で結合されるので、作用のところで説明するように紙幣が入れられたときに札入れ１内に無駄な隙間が生じにくい。
【００１５】
札入れ１の大きさは次のようになっている。すなわち本実施の形態においては札入れ１の長方形の長辺と短辺は、それぞれ特定の種類の紙幣の長辺と短辺よりも、それぞれ１３〜２５ｍｍ、１０〜１５ｍｍだけ大きい。例えば１万円札専用の札入れの場合には、１万円札が１５９ｍｍ×７７ｍｍであるのに対して、札入れの長辺は１７２〜１８４ｍｍ、短辺は８７〜９２ｍｍになっている。従って特定の種類の紙幣を２０〜５０枚入れたとしても札入れ１の大きさは十分にコンパクトである。なお紙幣の大きさに対して、札入れ１の短辺よりも長辺の方に、より余裕が設けられているのは、札入れ１が谷折り線１３で二つ折りされることを考慮しているからである。線ファスナ８は、シート２の端面に設けられているように説明したが、シート２の端面から若干内側寄りに設けられていてもよい。しかしながら札入れ１に紙幣が入れられるとき、紙幣との間には８ｍｍ以上、好ましくは１３ｍｍ以上の余裕が設けられるようにする必要がある。
【００１６】
本実施の形態に係る札入れ１が１万円札専用の札入れとして形成されているものとして、作用を説明する。線ファスナ８を開き頂点１１をつまんで札入れ１を開く。この開口部分から図２の（ア）に示されているように１万円札を２０〜５０枚入れる。図２の（イ）に示されているように、札入れ１の内側に形成される、紙幣の束２０との隙間２１はわずかしかないが、札入れ１の縫合部分１８はシート２の端面が接合されていて緩やかな曲率で結合されているので、１万円札は途中で引っかかることなく容易に入れることができる。線ファスナ８を閉じる。札入れ１は十分に小さくコンパクトであり、上着の内ポケット等に入れても嵩張ることはない。１万円札を取り出すときには、図２の（ア）に示されているように、線ファスナ８を開き頂点１１をつまんで札入れ１を開く。必要な枚数だけ１万円札を取り出して線ファスナ８を閉じる。本実施の形態においては札入れ１を開いて、入れられている紙幣の枚数を確認するのも容易である。この場合にも、不必要に札入れ１が開かれないので、紙幣の枚数は他人には見られにくい。従って盗難に遭いにくい。また本実施の形態においては、札入れ１は２つ折りしないで使用されることが多いが、前記したように谷折り線１３において２つ折りして携帯することも可能である。
【００１７】
本実施の形態に係る札入れ１は、上記実施の形態に限定されることなく色々な形で実施できる。例えばシート２はフェルトからなるように説明したが、ビニールクロスから、あるいは合成皮革や天然皮革から構成するようにしてもよい。また本実施の形態においては、重ね合わされたシート２は縫合されているように説明したが、シート２の端面に接着剤を塗布して、端面どうしを接着するようにしてもよい。さらにはシート２が熱によって溶融する素材からなる場合には、熱加工して端面どうしを融着するようにしてもよい。また線ファスナに関しても変形が可能であり、面ファスナから、あるいは他の開閉手段から構成することもできる。
【符号の説明】
【００１８】
１    札入れ                    ２    シート
４    一方の短辺                ６    長辺
６ａ    長辺の一部                ８    線ファスナ
９    他方の短辺              １１    頂点
１３    谷折り線                １５    糸
１６    あて布                  １８    縫合部分
２０    紙幣の束                ２１    隙間
２ａ、２ｂ  端面
【図１】
2012055528.tif 000003
【図２】
2012055528.tif 000004